(57)【要約】【課題】  刈刃で刈り取った刈草をスムーズに刈刃カバーの外に排出させると共に、刈草を小さくカットすることができる草刈機の刈刃カバーの提供。【解決手段】  上部カバー部１０ａの底部の外周部には、刈刃カバー１０内で回転する刈刃９で刈り取られて刈刃９の回転により刈刃カバー１０内の上部で回転する刈草を衝突させて刈刃９側に落下させる衝突壁１５ａ、１５ｂを備える。【選択図】      図７
2019193600.tif 000002
【特許請求の範囲】
【請求項１】
草刈機の底部に略水平に配設される上部カバー部と、その上部カバー部の左右両サイドに配設される側部カバー部とで構成されることで左右両側部カバー相互間に車両前側開口部と車両後側開口部を備えた刈刃カバーであって、
前記上部カバー部の底部の外周部には、刈刃カバー内で回転する刈刃で刈り取られて刈刃の回転により刈刃カバー内の上部で回転する刈草を衝突させて刈刃側に落下させる衝突壁を備えることを特徴とする。
【請求項２】
請求項１記載の草刈機の刈刃カバーにおいて、
前記衝突壁を刈刃カバーの車両前側開口部側に備えることを特徴とする草刈機の刈刃カバー。
【請求項３】
請求項２記載の草刈機の刈刃カバーにおいて、
前記衝突壁における刈刃カバーの中心部側が刈刃の回転方向とは逆方向へ向けて折り曲がった形状であることを特徴とする草刈機の刈刃カバー。
【請求項４】
請求項１〜３のいずれかに記載の草刈機の刈刃カバーにおいて、
前記衝突壁を刈刃カバーの車両後側開口部側に備えることを特徴とする草刈機の刈刃カバー。
【請求項５】
請求項４記載の草刈機の刈刃カバーにおいて、
前記衝突壁における刈刃カバーの中心部側が刈刃の回転方向とは逆方向へ向けて折り曲がった形状であることを特徴とする草刈機の刈刃カバー。
【請求項６】
請求項１〜５のいずれかに記載の草刈機の刈刃カバーにおいて、
前記衝突壁を側部カバー側に備えることを特徴とする草刈機の刈刃カバー。
【請求項７】
請求項１〜６のいずれかに記載の草刈機の刈刃カバーにおいて、
前記衝突壁が刈刃の回転方向に向けて傾斜していることを特徴とする草刈機の刈刃カバー。
【発明の詳細な説明】
【技術分野】
【０００１】
本発明は、草刈機の刈刃カバーに関する。
【背景技術】
【０００２】
従来、乗用草刈機の刈刃カバーとして特許文献１に記載の技術が公知になっている。
この乗用草刈機の刈刃カバーは、草刈機の底部に略水平に配設される上部カバー部と、その上部カバー部の左右両サイドに配設される側部カバー部とを備え、刈刃カバー内の刈刃の回転により車体の前側の開口部で刈り取られた刈草を、後側の開口部から排出する構造となっている。
【先行技術文献】
【特許文献】
【０００３】
【特許文献１】特開２０１２−１１５１８６号公報
【発明の概要】
【発明が解決しようとする課題】
【０００４】
しかしながら、従来例の乗用草刈機の刈刃カバーにあっては、以下に述べるような問題があった。
すなわち、刈刃の回転で、刈刃カバーの前側開口部で刈り取られた刈草は、刈刃カバーの後側開口部からすぐには排出されず、刈刃の回転により一旦刈刃カバー内の上部で回転するため、刈草が刈刃カバー内の上部に溜まって効率的な草刈りができないという問題があった。
【０００５】
本発明の解決しようとする課題は、刈刃で刈り取った刈草をスムーズに刈刃カバーの外に排出させると共に、刈草を小さくカットすることができる草刈機の刈刃カバーを提供することにある。
【課題を解決するための手段】
【０００６】
上記課題を解決するため請求項１記載の草刈機の刈刃カバーは、草刈機の底部に略水平に配設される上部カバー部と、その上部カバー部の左右両サイドに配設される側部カバー部とで構成されることで左右両側部カバー相互間に車両前側開口部と車両後側開口部を備えた刈刃カバーであって、
前記上部カバー部の底部の外周部には、刈刃カバー内で回転する刈刃で刈り取られて刈刃の回転により刈刃カバー内の上部で回転する刈草を衝突させて刈刃側に落下させる衝突壁を備えることを特徴とする。
【０００７】
請求項２記載の草刈機の刈刃カバーは、請求項１記載の草刈機の刈刃カバーにおいて、
前記衝突壁を刈刃カバーの車両前側開口部側に備えることを特徴とする。
【０００８】
請求項３記載の草刈機の刈刃カバーは、請求項２記載の草刈機の刈刃カバーにおいて、
前記衝突壁における刈刃カバーの中心部側が刈刃の回転方向とは逆方向へ向けて折り曲がった形状であることを特徴とする。
【０００９】
請求項４記載の草刈機の刈刃カバーは、請求項１〜３のいずれかに記載の草刈機の刈刃カバーにおいて、
前記衝突壁を刈刃カバーの車両後側開口部側に備えることを特徴とする。
【００１０】
請求項５記載の草刈機の刈刃カバーは、請求項４記載の草刈機の刈刃カバーにおいて、
前記衝突壁における刈刃カバーの中心部側が刈刃の回転方向とは逆方向へ向けて折り曲がった形状であることを特徴とする。
【００１１】
請求項６記載の草刈機の刈刃カバーは、請求項１〜５のいずれかに記載の草刈機の刈刃カバーにおいて、
前記衝突壁を側部カバー側に備えることを特徴とする。
【００１２】
請求項７記載の草刈機の刈刃カバーは、請求項１〜６のいずれかに記載の草刈機の刈刃カバーにおいて、
前記衝突壁が刈刃の回転方向に向けて傾斜していることを特徴とする。
【発明の効果】
【００１３】
請求項１記載の草刈機の刈刃カバーでは、上述のように、上部カバー部の底部の外周部に刈刃カバー内で回転する刈刃で刈り取られて刈刃の回転により刈刃カバー内の上部で回転する刈草を衝突させて刈刃側に落下させる衝突壁を備えることで、衝突壁に衝突して刈刃側に落下した刈草を刈刃の回転で刈刃カバーの後方に送り出してスムーズに刈刃カバーの外に排出させることができる。
また、衝突壁に衝突して落下した刈草が高速回転する刈刃により再度切断されることで、刈草を小さくカットすることができる。
【００１４】
請求項２記載の草刈機の刈刃カバーでは、上述のように、衝突壁を刈刃カバーの車両前側開口部側に備えることで、刈り取られて刈刃カバーの上部で回転する刈草を刈刃カバーの前側で刈刃側へ落下させ、刈刃の回転で刈刃カバーの後方にスムーズに送り出すことができる。
【００１５】
請求項３記載の草刈機の刈刃カバーでは、上述のように、衝突壁における刈刃カバーの中心部側が刈刃の回転方向とは逆方向へ向けて折り曲がった形状であるため、衝突壁に衝突した刈草が刈刃カバーの中心部方向へ流れるのを阻止することができる。
【００１６】
請求項４記載の草刈機の刈刃カバーでは、上述のように、衝突壁を刈刃カバーの車両後側開口部側に備えることで、刈刃でカットされ、刈刃カバーの上部で回転する刈草の回転を阻止して落下させ、落下した刈草を刈刃で再度小さくカットすることができる。
【００１７】
請求項５記載の草刈機の刈刃カバーでは、上述のように、衝突壁における刈刃カバーの中心部側が刈刃の回転方向とは逆方向へ向けて折り曲がった形状であるため、衝突壁に衝突した刈草がそのまま刈刃カバーの外側に流れるのを阻止し、これにより、刈草を小さくカットした状態で刈刃カバー外に排出させることができる。
【００１８】
請求項６記載の草刈機の刈刃カバーでは、上述のように、衝突壁を側部カバー側に備えることで、刈草の回転を早めに止めることができる。
【００１９】
請求項７記載の草刈機の刈刃カバーでは、上述のように、衝突を刈刃の回転方向に向けて傾斜させることで、刈草が衝突壁の前に溜まるのを防止して刈刃方向にスムーズに落下させることができる。
【図面の簡単な説明】
【００２０】
【図１】実施例１の刈刃カバーを備えた乗用草刈機の正面図である。
【図２】実施例１の刈刃カバーを備えた乗用草刈機の側面図である。
【図３】実施例１の刈刃カバーを備えた乗用草刈機の底面図である。
【図４】実施例１の刈刃カバー部分を示す拡大正面図である。
【図５】実施例１の刈刃カバー部分を示す拡大平面図である。
【図６】実施例１の刈刃カバー部分を示す拡大底面図である。
【図７】実施例１の刈刃カバー部分を示す底面側拡大斜視図である。
【図８】フロント側の衝突壁を示す斜視図である。
【図９】リア側の衝突壁を示す斜視図である。
【発明を実施するための形態】
【００２１】
以下、図面に基づいて実施例の刈刃カバーの構造を説明する。
【実施例１】
【００２２】
本発明の刈刃カバーを適用した乗用草刈機は、図１〜３に示すように前後輪１、２を備えた走行機体と、走行機体中央に設置された運転席３と、走行機体の後方に搭載されたエンジン４と、走行機体の下側に配置された刈取り装置５を備えている。
【００２３】
乗用草刈機のサイドパネルには、トランスミッションの変速操作用の副変速レバー、刈取り装置５の上下スライド（昇降）を操作する上下昇降レバー６、走行速度を調整するＨＳＴレバー等が設けられているとともに、走行機体のフロアからは走行ペダル７及びブレーキペダルが踏み操作自在に設けられている。
【００２４】
作業者（オペレータ）が運転席３に座り、上下昇降レバー６を操作して刈取り装置５を任意の高さに下げ、刈刃クラッチレバー１７を操作して刈刃９を回転させ、副変速レバーで走行速度を選択設定し、走行ペダル７を踏み込むことで走行機体を走行させるとともに、ハンドル８で操向させることで、走行機体を走行させながら、刈取り装置５により草刈り作業を行うことができる。
刈取り装置５はエンジンから駆動力を伝動して刈刃９を回転駆動させるロータリカッタとなっている。
なお、図１〜３は刈取り装置５を刈り取り可能な高さに下げた状態を示す。
【００２５】
刈取り装置５は、図７に示すように、刈刃カバー１０と、刈刃ステイ１１と刈刃９とを備えている。
刈刃カバー１０は、機体の底部に配設される上部カバー部１０ａと、その上部カバー部１０ａの両側に取付けられた側部カバー部１０ｂとを備えている。
刈刃ステイ１１は、上部カバー部１０ａの中央に形成され挿通孔に垂直に挿通された駆動軸１２に中央部が接続され、刈刃ステイ１１の両端には刈刃９がそれぞれ装着されている。
前記刈刃ステイ１１は、駆動軸１２を中心として平面視で時計方向に回転駆動されるものでその両端に装着された刈刃９で草を刈り取る。
【００２６】
上部カバー部１０ａは刈刃９の上側を保護する板状部材であり、走行機体の下方に水平に配置されている。
昇降レバー６を操作すると、本体フレームから吊下げられた上部カバー部１０ａが昇降し、それに連動して駆動軸１２、刈刃ステイ１１、刈刃９、側部カバー部１０ｂも昇降する。
【００２７】
側部カバー部１０ｂは走行機体の左右の側面に配置され、車両の前後輪１、２の間に挟まれて地面との隙間を閉塞している。すなわち、側部カバー部１０ｂは刈刃９の回転外周を閉塞して刈刃９の露出、及び小石等の飛び出しを防止している。
左右の側部カバー部１０ｂは上部カバー部１０ａに連続して水平方向に伸びる上面ａと、上面の先方から折れ曲がって垂下する側面ｂを有し、連結部１３を介して上部カバー部１０ａ（機体）に連結されている。
側部カバー部の上面ａの外縁は刈刃の回転軌跡に沿って円弧状に湾曲し、その湾曲ラインから側部カバー部の側面ｂが下方に折れ曲がっている。側部カバー部の側面ｂは垂下しているために刈刃９の外周の延長ラインを垂直に閉塞し、刈刃９に跳ねと飛ばされた小石等はこの側面ｂに衝突して飛び出しが防止される。
【００２８】
左右の両側部カバー部１０ｂ、１０ｂ相互間の車両前方側開口部１０ｃの前の機体には、図１に示すように、ゴム製のフロントスカート１４ａが吊下され、また、両側部カバー部１０ｂ、１０ｂ相互間の車両後方側開口部１０ｄには、図５〜７に示すように、ゴム製のリアスカート１４ｂが吊下されている。
【００２９】
上部カバー部１０の底部の外周部には、図７〜９に示すように、衝突壁が垂下されている。
この衝突壁は、刈刃９で刈り取られて刈刃９の回転により刈刃カバー１０内の上部で回転する刈草を衝突させることで刈刃９側に落下させる役目をなすもので、この実施例１では、側部カバー部１０ｂ、１０ｂ相互間の車両前方側開口部１０ｃの略中央部の衝突壁１５ａと、側部カバー部１０ｂ、１０ｂ相互間の車両後方側開口部１０ｄの略中央部の衝突壁１５ｂとを備えている。
前側の衝突壁１５ａは、主に刈刃９の回転により刈刃カバー１０内の上部で回転する刈草の回転を受け止めて落下させることで刈刃９の回転で刈草を刈刃カバー１０の後方へ速く送り出す役目をなす。
後側の衝突壁１５ｂは、主に刈刃カバー１０の前側において刈刃９で刈り取られた刈草を刈刃カバー１０の後側で受け止めて落下させることで刈草を再度刈刃９で細かくカットする役目をなす。
【００３０】
衝突壁１５ａ、１５ｂは、この実施例１では、図７〜９に示すように、金属板を断面Ｌ型に折り曲げることにより本体と取付ベース部を形成し、この取付ベース部を上部カバー部１０ａの裏面にボルト・ナット１６等で固定されている。
また、衝突壁１５ａの本体部は、刈刃カバー１０の中心部側が刈刃９の回転方向とは逆方向へ向けて少し折り曲げた形状とすることで、刈草が刈刃カバー１０の中心部側に向かうことを阻止するようにしている。
また、衝突壁１５ｂの本体部は、刈刃カバー１０の外周部側が刈刃９の回転方向に向けて少し折り曲げた形状とすることで、衝突壁１５ｂに衝突した刈草がそのまま刈刃カバー１０の外側に流れるのを阻止し、これにより、刈草を小さくカットした状態で刈刃カバー１０外に排出させることができる。
【００３１】
次に、実施例１の作用を説明する。
草刈り作業においては、作業者が運転席３に座り、上下昇降レバー６を操作して図１〜３に示すように刈取り装置５を任意の高さに下げ、走行機体を走行させながら草刈り作業を行う。
刈刃９の回転で、先ず刈刃カバー１０の前側で刈り取られた刈草は、刈刃９の回転により刈刃カバー１０内の上部で回転するが、刈草が衝突壁１５a、１５ｂに衝突することで、刈草の回転が阻止されて刈刃９方向に落下することで回転する刈刃９で再度小さくカットされる。
【００３２】
次に、この実施例１の効果を説明する。
以上詳細に説明したように、実施例１の草刈機の刈刃カバーでは、上述のように、上部カバー部１０ａの底部の外周部に刈刃カバー１０内で回転する刈刃９で刈り取られて刈刃９の回転により刈刃カバー１０内の上部で回転する刈草を衝突させて刈刃９側に落下させる衝突壁を備えることで、衝突壁に衝突して刈刃９側に落下した刈草を刈刃９の回転で刈刃カバー１０の後方に送り出してスムーズに刈刃カバー１０の外に排出させることができる。
また、衝突壁に衝突して落下した刈草が高速回転する刈刃９により再度切断されることで、刈草を小さくカットすることができる。
【００３３】
また、衝突壁１５ａを刈刃カバー１０の車両前側開口部側に備えることで、刈り取られて刈刃カバー１０の上部で回転する刈草を刈刃カバー１０の前側で刈刃９側へ落下させ、刈刃９の回転で刈刃カバー１０の後方にスムーズに送り出すことができる。
【００３４】
また、衝突壁１５ｂを刈刃カバー１０の車両後側開口部側に備えることで、刈刃９でカットされ、刈刃カバー１０の上部で回転する刈草の回転を阻止して落下させ、落下した刈草を刈刃９で再度小さくカットすることができる。
【００３５】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３６】
この実施例２は、前記衝突壁１５ａの他の例を示すもので、この実施例２の衝突壁１５ａは、衝突壁１５ａの本体における刈刃カバー１０の中心部側が刈刃９の回転方向とは逆方向へ向けて折り曲がった形状である点が、前記実施例１とは相違したものである。
これにより、衝突壁１５ａに衝突した刈草が刈刃カバー１０の中心部方向へ流れるのを阻止することができる。
【実施例３】
【００３７】
この実施例３は、前記衝突壁１５ｂの他の例を示すもので、この実施例３の衝突壁１５ｂは、衝突壁１５ｂの本体における刈刃カバー１０の中心部側が刈刃９の回転方向とは逆方向へ向けて折り曲がった形状である点が、前記実施例１とは相違したものである。
これにより、衝突壁１５ｂに衝突した刈草がそのまま刈刃カバー１０の外側に流れるのを阻止して刈刃９の方向へ落下させて刈草を更に小さくカットした状態で刈刃カバー１０外に排出させることができる。
【実施例４】
【００３８】
この実施例４は、前記衝突壁１５ａ、１５ｂの他の例を示すもので、この実施例４の衝突壁１５ａ、１５ｂは、衝突壁１５ａ、１５ｂの本体を刈刃９の回転方向に向けて傾斜させた点が、前記実施例１とは相違したものである。
これにより、刈草が衝突壁１５ａ、１５ｂの前に溜まるのを防止して刈刃９方向にスムーズに落下させることができる。
【００３９】
以上本実施例を説明してきたが、本発明は上述の実施例に限られるものではなく、本発明の要旨を逸脱しない範囲の設計変更等があっても、本発明に含まれる。
【００４０】
例えば、実施例では、衝突壁として、側部カバー部１０ｂ、１０ｂ相互間の車両前方側開口部１０ｃの略中央部の衝突壁１５ａと、側部カバー部１０ｂ、１０ｂ相互間の車両後方側開口部１０ｄの略中央部の衝突壁１５ｂとを備えたが、その取り付け場所、取り付け個数等は任意である。
例えば、衝突壁を側部カバー部１０b 側に備えることで、刈草の回転を早めに止めることができる。
また、衝突壁の形状、材料、長さ等も任意である。
【００４１】
また、実施例１では、乗用草刈機に本発明を適用した一例を示したが、その他の草刈り機にも適用することがきる。
【符号の説明】
【００４２】
１  前輪
２  後輪
３  運転席
４  エンジン
５  刈取り装置
６  上下昇降レバー
７  走行ペダル
８  ハンドル
９  刈刃
１０  刈刃カバー
１０ａ  上部カバー部
１０ｂ  側部カバー部
ａ  側部カバー部の上面
ｂ  側部カバー部の側面
１０ｃ  車両前方側開口部
１０ｄ  車両後方側開口部
１１  刈刃ステイ
１２  駆動軸
１３  連結部
１４ａ  フロントスカート
１４ｂ  リアスカート
１５ａ  前側衝突壁
１５ｂ  後側衝突壁
１６  ボルト・ナット
１７  刈刃クラッチレバー
【図１】
2019193600.tif 000003
【図２】
2019193600.tif 000004
【図３】
2019193600.tif 000005
【図４】
2019193600.tif 000006
【図５】
2019193600.tif 000007
【図６】
2019193600.tif 000008
【図７】
2019193600.tif 000009
【図８】
2019193600.tif 000010
【図９】
2019193600.tif 000011